【手続補正書】
【提出日】平成27年5月18日(2015.5.18)
【手続補正１】
【補正対象書類名】特許請求の範囲
【補正対象項目名】全文
【補正方法】変更
【補正の内容】
【特許請求の範囲】
【請求項１】
複数のエンティティ間のクレジット挙動ネットワークマップを作成するコンピュータで実現される方法であって、前記方法は、
第１のエンティティの識別子を受け取ることと、
前記第１のエンティティとのビジネス上の関係を有しかつ前記第１のエンティティの債権者である第２のエンティティの識別子を返す少なくとも１つのデータベースの第１の検索を実行することと、
前記第２のエンティティの債権者である第３のエンティティの識別子を返す前記少なくとも１つのデータベースの第２の検索を実行することと、
記憶デバイスにおいて、前記第１のエンティティの前記識別子と、前記第２のエンティティの前記識別子と、前記第３のエンティティの前記識別子とに基づいて、前記クレジット挙動ネットワークマップを定義し、前記第２のエンティティを介した前記第１のエンティティと前記第３のエンティティとの間の経路を備える、データ構造を構築することと、
前記第３のエンティティの財務の特性に基づいて前記第１のエンティティのリスクを決定することと
のために、プロセッサに関連づけられた前記コンピュータのメモリから読み取られた命令に従って前記コンピュータの前記プロセッサを使用すること
を備える方法。
【請求項２】
複数のエンティティ間のクレジット挙動ネットワークマップを作成するコンピュータで実現される方法であって、前記方法は、
第１のエンティティの識別子を受け取ることと、
前記第１のエンティティとのビジネス上の関係を有しかつ前記第１のエンティティの債権者である第２のエンティティの識別子を返す少なくとも１つのデータベースの第１の検索を実行することと、
前記第２のエンティティの債権者である第３のエンティティの識別子を返す前記少なくとも１つのデータベースの第２の検索を実行することと、
記憶デバイスにおいて、前記第１のエンティティの前記識別子と、前記第２のエンティティの前記識別子と、前記第３のエンティティの前記識別子とに基づいて、前記クレジット挙動ネットワークマップを定義し、前記第２のエンティティを介した前記第１のエンティティと前記第３のエンティティとの間の経路を備える、データ構造を構築することと
を備える方法。
【請求項３】
複数のエンティティ間のクレジット挙動ネットワークマップを作成するコンピュータで実現される方法であって、前記方法は、
第１のエンティティの識別子を受け取ることと、
前記第１のエンティティとのビジネス上の関係を有しかつ前記第１のエンティティに階層的に関連する第２のエンティティの識別子を返す少なくとも１つのデータベースの第１の検索を実行することと、
前記第２のエンティティの債権者である第３のエンティティの識別子を返す前記少なくとも１つのデータベースの第２の検索を実行することと、
記憶デバイスにおいて、前記第１のエンティティの前記識別子と、前記第２のエンティティの前記識別子と、前記第３のエンティティの前記識別子とに基づいて、前記クレジット挙動ネットワークマップを定義し、前記第２のエンティティを介した前記第１のエンティティと前記第３のエンティティとの間の経路を備える、データ構造を構築することと
を備える方法。
【請求項４】
複数のエンティティ間のクレジット挙動ネットワークマップを作成するコンピュータで実現される方法であって、前記方法は、
第１のエンティティの識別子を受け取ることと、
前記第１のエンティティとのビジネス上の関係を有しかつ前記第１のエンティティについて信用照会を行ったことがある第２のエンティティの識別子を返す少なくとも１つのデータベースデータベースの第１の検索を実行することと、
前記第２のエンティティの債権者である第３のエンティティの識別子を返す前記少なくとも１つのデータベースの第２の検索を実行することと、
記憶デバイスにおいて、前記第１のエンティティの前記識別子と、前記第２のエンティティの前記識別子と、前記第３のエンティティの前記識別子とに基づいて、前記第２のエンティティを介した前記第１のエンティティと前記第３のエンティティとの間の経路を定義する、データ構造を構築することと
を備える方法。
【請求項５】
複数のエンティティ間のクレジット挙動ネットワークマップを作成するコンピュータで実現される方法であって、前記方法は、
第１のエンティティの識別子を受け取ることと、
前記第１のエンティティの債権者である第２のエンティティの識別子を返す少なくとも１つのデータベースの第１の検索を実行することと、
前記第２のエンティティについて信用照会を行ったことがある第３のエンティティの識別子を返す前記少なくとも１つのデータベースの第２の検索を実行することと、
記憶デバイスにおいて、前記第１のエンティティの前記識別子と、前記第２のエンティティの前記識別子と、前記第３のエンティティの前記識別子とに基づいて、前記クレジット挙動ネットワークマップを定義し、前記第２のエンティティを介した前記第１のエンティティと前記第３のエンティティとの間の経路を備える、データ構造を構築することと
を備える方法。
【請求項６】
複数のエンティティ間のクレジット挙動ネットワークマップを作成するコンピュータで実現される方法であって、前記方法は、
第１のエンティティの識別子を受け取ることと、
前記第１のエンティティに階層的に関連する第２のエンティティの識別子を返す少なくとも１つのデータベースの第１の検索を実行することと、
前記第２のエンティティについて信用照会を行ったことがある第３のエンティティの識別子を返す前記少なくとも１つのデータベースの第２の検索を実行することと、
記憶デバイスにおいて、前記第１のエンティティの前記識別子と、前記第２のエンティティの前記識別子と、前記第３のエンティティの前記識別子とに基づいて、前記クレジット挙動ネットワークマップを定義し、且つ前記第２のエンティティを介した前記第１のエンティティと前記第３のエンティティとの間の経路を備える、データ構造を構築することと
を備える方法。
【請求項７】
前記関係は、前記第２のエンティティが前記第１のエンティティについて信用照会を行ったことがあることである、
請求項１又は２に記載の方法。
【請求項８】
前記第１の検索は、前記第２のエンティティから前記第１のエンティティに供与されているクレジットの第１の額をさらに返し、
前記第２の検索は、前記第３のエンティティから前記第２のエンティティに供与されているクレジットの第２の額をさらに返し、
前記構築することは、前記データ構造において、（ａ）前記第１のエンティティの前記識別子、（ｂ）前記第２のエンティティの前記識別子、（ｃ）前記第３のエンティティの前記識別子、（ｄ）前記クレジットの第１の額、及び（ｅ）前記クレジットの第２の額を含む、
請求項１から７のいずれかに記載の方法。
【請求項９】
前記第２の検索は、前記第３のエンティティから前記第２のエンティティに供与されているクレジットの額をさらに返し、
前記構築することは、前記データ構造において、（ａ）前記第１のエンティティの前記識別子、（ｂ）前記第２のエンティティの前記識別子、（ｃ）前記第３のエンティティの前記識別子、及び（ｄ）前記クレジットの額を含む、
請求項１から７のいずれかに記載の方法。
【請求項１０】
前記第１の検索は、前記第２のエンティティから前記第１のエンティティに供与されているクレジットの第１の額をさらに返し、
前記第２の検索は、前記第３のエンティティから前記第２のエンティティに供与されているクレジットの第２の額をさらに返し、
前記構築することは、前記データ構造において、前記クレジットの第１の額及び前記クレジットの第２の額を含む、
請求項１から７のいずれかに記載の方法。
【請求項１１】
前記第１の検索は、前記第２のエンティティから前記第１のエンティティに供与されているクレジットの額をさらに返すか、或いは、
前記第２の検索は、前記第３のエンティティから前記第２のエンティティに供与されているクレジットの額をさらに返し、
前記構築することは、前記データ構造において、前記クレジットの額を含む、
請求項１から７のいずれかに記載の方法。
【請求項１２】
前記第３のエンティティの特性の関数に従って前記第１のエンティティの特性を評価すること
をさらに備える、請求項１から１１のいずれかに記載の方法。
【請求項１３】
前記第１のエンティティの前記リスクは、前記第１のエンティティのクレジットリスクである、請求項１から１２のいずれかに記載の方法。
【請求項１４】
前記データ構造は、対象の会社のサプライヤー及びサプライヤーのサプライヤーについてのキャッシュフローシグナル及びトレンドを示す複数の財務関係マップを表す、請求項１から１３のいずれかに記載の方法。
【請求項１５】
プロセッサと、
前記プロセッサによって読み取り可能であり、且つ前記プロセッサによって読み取られた場合に、前記プロセッサに、
第１のエンティティの識別子を受け取り、
前記第１のエンティティとのビジネス上の関係を有しかつ前記第１のエンティティの債権者である第２のエンティティの識別子を返す少なくとも１つのデータベースの第１の検索を実行し、
前記第２のエンティティの債権者である第３のエンティティの識別子を返す前記少なくとも１つのデータベースの第２の検索を実行し、
記憶デバイスにおいて、前記第１のエンティティの前記識別子と、前記第２のエンティティの前記識別子と、前記第３のエンティティの前記識別子とに基づいて、クレジット挙動ネットワークマップを定義し、前記第２のエンティティを介した前記第１のエンティティと前記第３のエンティティとの間の経路を備える、データ構造を構築し、
前記第３のエンティティの財務の特性に基づいて前記第１のエンティティのリスクを決定する
動作を実行させる命令を包含するメモリと
を備える装置。
【請求項１６】
プロセッサと、
前記プロセッサによって読み取り可能であり、且つ前記プロセッサによって読み取られた場合に、前記プロセッサに、
第１のエンティティの識別子を受け取り、
前記第１のエンティティとのビジネス上の関係を有しかつ前記第１のエンティティの債権者である第２のエンティティの識別子を返す少なくとも１つのデータベースの第１の検索を実行し、
前記第２のエンティティの債権者である第３のエンティティの識別子を返す前記少なくとも１つのデータベースの第２の検索を実行し、
記憶デバイスにおいて、前記第１のエンティティの前記識別子と、前記第２のエンティティの前記識別子と、前記第３のエンティティの前記識別子とに基づいて、クレジット挙動ネットワークマップを定義し、且つ前記第２のエンティティを介した前記第１のエンティティと前記第３のエンティティとの間の経路を備える、データ構造を構築する
動作を実行させる命令を包含するメモリと
を備える装置。
【請求項１７】
プロセッサと、
前記プロセッサによって読み取り可能であり、且つ前記プロセッサによって読み取られた場合に、前記プロセッサに、
第１のエンティティの識別子を受け取り、
前記第１のエンティティに階層的に関連する第２のエンティティの識別子を返す少なくとも１つのデータベースの第１の検索を実行し、
前記第２のエンティティの債権者である第３のエンティティの識別子を返す前記少なくとも１つのデータベースの第２の検索を実行し、
記憶デバイスにおいて、前記第１のエンティティの前記識別子と、前記第２のエンティティの前記識別子と、前記第３のエンティティの前記識別子とに基づいて、クレジット挙動ネットワークマップを定義し、且つ前記第２のエンティティを介した前記第１のエンティティと前記第３のエンティティとの間の経路を備える、データ構造を構築する
動作を実行させる命令を包含するメモリと
を備える装置。
【請求項１８】
プロセッサと、
前記プロセッサによって読み取り可能であり、且つ前記プロセッサによって読み取られた場合に、前記プロセッサに、
第１のエンティティの識別子を受け取り、
前記第１のエンティティについて信用照会を行ったことがある第２のエンティティの識別子を返す少なくとも１つのデータベースの第１の検索を実行し、
前記第２のエンティティの債権者である第３のエンティティの識別子を返す前記少なくとも１つのデータベースの第２の検索を実行し、
記憶デバイスにおいて、前記第１のエンティティの前記識別子と、前記第２のエンティティの前記識別子と、前記第３のエンティティの前記識別子とに基づいて、クレジット挙動ネットワークマップを定義し、且つ前記第２のエンティティを介した前記第１のエンティティと前記第３のエンティティとの間の経路を備える、データ構造を構築する
動作を実行させる命令を包含するメモリと
を備える装置。
【請求項１９】
プロセッサと、
前記プロセッサによって読み取り可能であり、且つ前記プロセッサによって読み取られた場合に、前記プロセッサに、
第１のエンティティの識別子を受け取り、
前記第１のエンティティの債権者である第２のエンティティの識別子を返す少なくとも１つのデータベースの第１の検索を実行し、
前記第２のエンティティについて信用照会を行ったことがある第３のエンティティの識別子を返す前記少なくとも１つのデータベースの第２の検索を実行し、
記憶デバイスにおいて、前記第１のエンティティの前記識別子と、前記第２のエンティティの前記識別子と、前記第３のエンティティの前記識別子とに基づいて、クレジット挙動ネットワークマップを定義し、且つ前記第２のエンティティを介した前記第１のエンティティと前記第３のエンティティとの間の経路を備える、データ構造を構築する
動作を実行させる命令を包含するメモリと
を備える装置。
【請求項２０】
プロセッサと、
前記プロセッサによって読み取り可能であり、且つ前記プロセッサによって読み取られた場合に、前記プロセッサに、
第１のエンティティの識別子を受け取り、
前記第１のエンティティに階層的に関連する第２のエンティティの識別子を返す少なくとも１つのデータベースの第１の検索を実行し、
前記第２のエンティティについて信用照会を行ったことがある第３のエンティティの識別子を返す前記少なくとも１つのデータベースの第２の検索を実行し、
記憶デバイスにおいて、前記第１のエンティティの前記識別子と、前記第２のエンティティの前記識別子と、前記第３のエンティティの前記識別子とに基づいて、クレジット挙動ネットワークマップを定義し、且つ前記第２のエンティティを介した前記第１のエンティティと前記第３のエンティティとの間の経路を備える、データ構造を構築する
動作を実行させる命令を包含するメモリと
を備える装置。
【請求項２１】
前記関係は、前記第２のエンティティが前記第１のエンティティについて信用照会を行ったことがあることである、
請求項１５又は１６に記載の装置。
【請求項２２】
前記第１の検索は、前記第２のエンティティから前記第１のエンティティに供与されているクレジットの第１の額をさらに返し、
前記第２の検索は、前記第３のエンティティから前記第２のエンティティに供与されているクレジットの第２の額をさらに返し、
前記構築することは、前記データ構造において、前記クレジットの第１の額及び前記クレジットの第２の額を含む、
請求項１５から２１のいずれかに記載の装置。
【請求項２３】
前記第１の検索は、前記第２のエンティティから前記第１のエンティティに供与されているクレジットの額をさらに返すか、或いは、
前記第２の検索は、前記第３のエンティティから前記第２のエンティティに供与されているクレジットの額をさらに返し、
前記構築することは、前記データ構造において、前記クレジットの額を含む、
請求項１５から２１のいずれかに記載の装置。
【請求項２４】
前記命令は、前記プロセッサに、
前記第３のエンティティの特性の関数に従って前記第１のエンティティの特性を評価する
動作をさらに実行させる、請求項１５から２３のいずれかに記載の装置。
【請求項２５】
前記第１のエンティティの前記リスクは、前記第１のエンティティのクレジットリスクである、請求項１５から２４のいずれかに記載の装置。
【請求項２６】
前記データ構造は、対象の会社のサプライヤー及びサプライヤーのサプライヤーについてのキャッシュフローシグナル及びトレンドを示す複数の財務関係マップを表す、請求項１５から２５のいずれかに記載の装置。
【請求項２７】
プロセッサによって読み取り可能であり、且つ前記プロセッサによって読み取られた場合に、前記プロセッサに、
第１のエンティティの識別子を受け取り、
前記第１のエンティティとのビジネス上の関係を有しかつ前記第１のエンティティの債権者である第２のエンティティの識別子を返す少なくとも１つのデータベースの第１の検索を実行し、
前記第２のエンティティの債権者である第３のエンティティの識別子を返す前記少なくとも１つのデータベースの第２の検索を実行し、
記憶デバイスにおいて、前記第１のエンティティの前記識別子と、前記第２のエンティティの前記識別子と、前記第３のエンティティの前記識別子とに基づいて、前記第２のエンティティを介した前記第１のエンティティと前記第３のエンティティとの間の経路を備えるクレジット挙動ネットワークマップを定義する、データ構造を構築し、
前記第３のエンティティの財務の特性に基づいて前記第１のエンティティのリスクを決定する
動作を実行させる命令を備える非一時的な記憶媒体。
【請求項２８】
プロセッサによって読み取り可能であり、且つ前記プロセッサによって読み取られた場合に、前記プロセッサに、
第１のエンティティの識別子を受け取り、
前記第１のエンティティとのビジネス上の関係を有しかつ前記第１のエンティティの債権者である第２のエンティティの識別子を返す少なくとも１つのデータベースの第１の検索を実行し、
前記第２のエンティティの債権者である第３のエンティティの識別子を返す前記少なくとも１つのデータベースの第２の検索を実行し、
記憶デバイスにおいて、前記第１のエンティティの前記識別子と、前記第２のエンティティの前記識別子と、前記第３のエンティティの前記識別子とに基づいて、クレジット挙動ネットワークマップを定義し、且つ前記第２のエンティティを介した前記第１のエンティティと前記第３のエンティティとの間の経路を備える、データ構造を構築する
動作を実行させる命令を備える非一時的な記憶媒体。
【請求項２９】
プロセッサによって読み取り可能であり、且つ前記プロセッサによって読み取られた場合に、前記プロセッサに、
第１のエンティティの識別子を受け取り、
前記第１のエンティティに階層的に関連する第２のエンティティの識別子を返す少なくとも１つのデータベースの第１の検索を実行し、
前記第２のエンティティの債権者である第３のエンティティの識別子を返す前記少なくとも１つのデータベースの第２の検索を実行し、
記憶デバイスにおいて、前記第１のエンティティの前記識別子と、前記第２のエンティティの前記識別子と、前記第３のエンティティの前記識別子とに基づいて、クレジット挙動ネットワークマップを定義し、且つ前記第２のエンティティを介した前記第１のエンティティと前記第３のエンティティとの間の経路を備える、データ構造を構築する
動作を実行させる命令を備える非一時的な記憶媒体。
【請求項３０】
プロセッサによって読み取り可能であり、且つ前記プロセッサによって読み取られた場合に、前記プロセッサに、
第１のエンティティの識別子を受け取り、
前記第１のエンティティについて信用照会を行ったことがある第２のエンティティの識別子を返す少なくとも１つのデータベースの第１の検索を実行し、
前記第２のエンティティの債権者である第３のエンティティの識別子を返す前記少なくとも１つのデータベースの第２の検索を実行し、
記憶デバイスにおいて、前記第１のエンティティの前記識別子と、前記第２のエンティティの前記識別子と、前記第３のエンティティの前記識別子とに基づいて、クレジット挙動ネットワークマップを定義し、且つ前記第２のエンティティを介した前記第１のエンティティと前記第３のエンティティとの間の経路を備える、データ構造を構築する
動作を実行させる命令を備える非一時的な記憶媒体。
【請求項３１】
プロセッサによって読み取り可能であり、且つ前記プロセッサによって読み取られた場合に、前記プロセッサに、
第１のエンティティの識別子を受け取り、
前記第１のエンティティの債権者である第２のエンティティの識別子を返す少なくとも１つのデータベースの第１の検索を実行し、
前記第２のエンティティについて信用照会を行ったことがある第３のエンティティの識別子を返す前記少なくとも１つのデータベースの第２の検索を実行し、
記憶デバイスにおいて、前記第１のエンティティの前記識別子と、前記第２のエンティティの前記識別子と、前記第３のエンティティの前記識別子とに基づいて、クレジット挙動ネットワークマップを定義し、且つ前記第２のエンティティを介した前記第１のエンティティと前記第３のエンティティとの間の経路を備える、データ構造を構築する
動作を実行させる命令を備える非一時的な記憶媒体。
【請求項３２】
プロセッサによって読み取り可能であり、且つ前記プロセッサによって読み取られた場合に、前記プロセッサに、
第１のエンティティの識別子を受け取り、
前記第１のエンティティに階層的に関連する第２のエンティティの識別子を返す少なくとも１つのデータベースの第１の検索を実行し、
前記第２のエンティティについて信用照会を行ったことがある第３のエンティティの識別子を返す前記少なくとも１つのデータベースの第２の検索を実行し、
記憶デバイスにおいて、前記第１のエンティティの前記識別子と、前記第２のエンティティの前記識別子と、前記第３のエンティティの前記識別子とに基づいて、クレジット挙動ネットワークマップを定義し、且つ前記第２のエンティティを介した前記第１のエンティティと前記第３のエンティティとの間の経路を備える、データ構造を構築する
動作を実行させる命令を備える非一時的な記憶媒体。
【請求項３３】
前記関係は、前記第２のエンティティが前記第１のエンティティについて信用照会を行ったことがあることである、
請求項２７又は２８に記載の非一時的な記憶媒体。
【請求項３４】
前記第１の検索は、前記第２のエンティティから前記第１のエンティティに供与されているクレジットの第１の額をさらに返し、
前記第２の検索は、前記第３のエンティティから前記第２のエンティティに供与されているクレジットの第２の額をさらに返し、
前記構築することは、前記データ構造において、（ａ）前記第１のエンティティの前記識別子、（ｂ）前記第２のエンティティの前記識別子、（ｃ）前記第３のエンティティの前記識別子、（ｄ）前記クレジットの第１の額、及び（ｅ）前記クレジットの第２の額を含む、
請求項２７から３３のいずれかに記載の非一時的な記憶媒体。
【請求項３５】
前記第２の検索は、前記第３のエンティティから前記第２のエンティティに供与されているクレジットの額をさらに返し、
前記構築することは、前記データ構造において、（ａ）前記第１のエンティティの前記識別子、（ｂ）前記第２のエンティティの前記識別子、（ｃ）前記第３のエンティティの前記識別子、及び（ｄ）前記クレジットの額を含む、
請求項２７から３３のいずれかに記載の非一時的な記憶媒体。
【請求項３６】
前記第１の検索は、前記第２のエンティティから前記第１のエンティティに供与されているクレジットの第１の額をさらに返し、
前記第２の検索は、前記第３のエンティティから前記第２のエンティティに供与されているクレジットの第２の額をさらに返し、
前記構築することは、前記データ構造において、前記クレジットの第１の額及び前記クレジットの第２の額を含む、
請求項２７から３３のいずれかに記載の非一時的な記憶媒体。
【請求項３７】
前記第１の検索は、前記第２のエンティティから前記第１のエンティティに供与されているクレジットの額をさらに返すか、或いは、
前記第２の検索は、前記第３のエンティティから前記第２のエンティティに供与されているクレジットの額をさらに返し、
前記構築することは、前記データ構造において、前記クレジットの額を含む、
請求項２７から３３のいずれかに記載の非一時的な記憶媒体。
【請求項３８】
前記命令は、前記プロセッサに、
前記第３のエンティティの特性の関数に従って前記第１のエンティティの特性を評価する
動作をさらに実行させる、請求項２７から３７のいずれかに記載の非一時的な記憶媒体。
【請求項３９】
前記第１のエンティティの前記リスクは、前記第１のエンティティのクレジットリスクである、請求項２７から３８のいずれかに記載の非一時的な記憶媒体。
【請求項４０】
前記データ構造は、対象の会社のサプライヤー及びサプライヤーのサプライヤーについてのキャッシュフローシグナル及びトレンドを示す複数の財務関係マップを表す、請求項２７から３９のいずれかに記載の非一時的な記憶媒体。